(57)【要約】【課題】低コスト化、小型化および薄型化を容易に図ることのできるカメラ付き電子機器を提供する。【解決手段】バックライト１５を、導光板１６と導光板１６の少なくとも１つの側面と対向するように配置されるバックライト用光源１７とを有し、かつ導光板１６の表裏両面から照明に供する光を出射可能に形成し、カメラユニット１０を、バックライト１５の液晶表示パネル８の配設側とは反対の背面に配設し、バックライト１７から出射される光の一部を補助光源とするように形成する。【選択図】図３
2008113153.tif 000002
【特許請求の範囲】
【請求項１】
液晶表示パネルと、バックライトと、カメラ部および該カメラ部で撮像する際の補助光源とされるライト部を具備するカメラユニットとを有しているカメラ付き電子機器において、
前記バックライトが、導光板と、該導光板の少なくとも１つの側面と対向するように配置されるバックライト用光源とを有しているとともに、前記導光板の少なくとも一方の面から前記液晶表示パネルを照明する光を出射可能に形成されており、
前記バックライトから出射される光の一部が、前記ライト部の補助光源となるように形成されていることを特徴とするカメラ付き電子機器。
【請求項２】
前記バックライトの前記液晶表示パネルの配設側とは反対の背面に、反射シートが配設されており、該反射シートには、少なくとも前記バックライトから出射される光の一部を前記ライト部へ通過させるためのライト用開口が形成されている請求項１に記載のカメラ付き電子機器。
【請求項３】
前記ライト部が、前記バックライト用光源に近接配置されている請求項１または２に記載のカメラ付き電子機器。
【発明の詳細な説明】
【技術分野】
【０００１】
本発明は、液晶表示パネルと、カメラユニットとを有しているカメラ付き電子機器に関する。
【背景技術】
【０００２】
近年、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子の小型・高画素密度化によって、携帯電話機などの携帯型の電子機器にカメラユニットを搭載したカメラ付き電子機器が市場に供給されている（例えば、特許文献１参照）。
【０００３】
例えば、小型化を容易に図ることのできる折り畳み自在なカメラ付き携帯電話機においては、情報の入力操作に用いる操作キー（ボタン）を備えた入力操作面を有する第１筐体と、情報の表示に用いる表示面を有する第２筐体とを有している。そして、両筐体は、開閉機構によって角度変位可能に連結されており、両筐体が折り畳まれた閉状態において、第１筐体の入力操作面と、第２筐体の表示面とが対向するように形成されている。
【０００４】
前記表示面は、表示手段、詳しくは、平面型の表示手段である液晶表示パネルのほぼ縦長矩形状に形成された表示画面により構成されており、液晶表示パネルの背面には、液晶表示パネルの照明手段としてのバックライトが配設されている。このバックライトは、液晶表示パネルの表示領域、すなわち、表示画面に表面が対向するように配置される導光板と、導光板の少なくとも１つの側面と対向するように配置されるバックライト用光源と、少なくとも導光板およびバックライト用光源が収納されるケースとを有しており、バックライト用光源から放射される光を導光板の側面に設けられている入射面に入射し、導光板の内部で光を多重反射させて導光板の液晶表示パネルと対向配置される表面から光を出射し、表面からの光を液晶表示パネルの表示領域に向かって平面光として照射することができるようになっている。
【０００５】
前記第２筐体の表示面とは反対の背面、すなわち、両筐体が折り畳まれた閉状態において外部に露出する面には、カメラユニットが配設されている。このカメラユニットは、カメラ部とライト部とを有している。カメラ部は、撮像レンズと、ＣＣＤイメージセンサあるいはＣＭＯＳイメージセンサなどの撮像素子とを有している。ライト部は、照明レンズと、専用の補助光源とを有しており、カメラ部で撮像する際の補助光源として使われるようになっている。なお、補助光源としては、一般的に、キセノン管を用いるものが多いが、近年においては、寿命の長いＬＥＤが用いられている。
【０００６】
【特許文献１】特開２００４−１３５１７７号公報（図２）
【発明の開示】
【発明が解決しようとする課題】
【０００７】
しかしながら、従来のカメラ付き電子機器においては、カメラユニットのライト部の補助光源が個別に配設されているため、部品点数が多く、組み立てに多大な労力および時間を必要とし、近年の低コスト化の要求に応えることができないという問題点があった。
【０００８】
さらに、従来のカメラ付き電子機器においては、補助光源を取り付けるためのスペースを必要とし、組み立て品が大型化してしまい、近年の小型化、薄型化の要求に応えることができないという問題点があった。
【０００９】
そこで、低コスト化、小型化および薄型化を容易に図ることのできるカメラ付き電子機器が求められている。
【００１０】
本発明はこの点に鑑みてなされたものであり、低コスト化、小型化および薄型化を容易に図ることのできるカメラ付き電子機器を提供することを目的とする。
【課題を解決するための手段】
【００１１】
前述した目的を達成するため、本発明に係るカメラ付き電子機器の特徴は、液晶表示パネルと、バックライトと、カメラ部および該カメラ部で撮像する際の補助光源とされるライト部を具備するカメラユニットとを有しているカメラ付き電子機器において、前記バックライトが、導光板と、該導光板の少なくとも１つの側面と対向するように配置されるバックライト用光源とを有しているとともに、前記導光板の少なくとも一方の面から前記液晶表示パネルを照明する光を出射可能に形成されており、前記バックライトから出射される光の一部が、前記ライト部の補助光源となるように形成されている点にある。そして、このような構成を採用したことにより、ライト部のための専用の補助光源を必要としないので、部品点数の削減、組み立てに要する労力および時間の削減を容易かつ確実に図ることができるし、専用の補助光源を取り付けるためのスペースを必要としないので、組み立て品の小型化、薄型化を容易かつ確実に図ることができる。
【００１２】
前記バックライトの前記液晶表示パネルの配設側とは反対の背面に、反射シートが配設されており、該反射シートには、少なくとも前記バックライトから出射される光の一部を前記ライト部へ通過させるためのライト用開口が形成されていることが好ましい。そして、このような構成を採用したことにより、バックライトから出射される光の一部をライト部の補助光源として用いることが容易かつ確実にできる。
【００１３】
前記ライト部が、前記バックライト用光源に近接配置されていることが好ましい。そして、このような構成を採用したことにより、ライト部の光路がバックライト用光源に近くなるので、バックライト用光源から放射される光を効率よく用いることができる。
【発明の効果】
【００１４】
本発明に係るカメラ付き電子機器によれば、バックライトから出射される光の一部をライト部の補助光源となるように形成されているので、バックライトから出射される光を液晶表示パネルの照明とカメラユニットのライト部の照明との両者に兼用することができる。その結果、カメラユニットのライト部の補助光源を個別に設ける必要がないので、低コスト化、小型化および薄型化を容易に図ることができるなどの優れた効果を奏する。
【発明を実施するための最良の形態】
【００１５】
以下、本発明を図面に示す実施形態により説明する。
【００１６】
図１から図３は本発明に係るカメラ付き電子機器の実施形態を示すものであり、図１は折り畳み式筐体の開状態における要部の概略外観正面図、図２は図１の概略外観背面図、図３は図１の要部の内部構成を示す概略拡大縦断面図である。
【００１７】
図１および図２に示すように、本実施形態のカメラ付き電子機器としてのカメラ付き携帯電話機１は、図１および図２の下方に示す第１筐体２と、図１および図２の上方に示す第２筐体３とを有している。そして、両筐体２、３は、図示しないヒンジなどの開閉機構によって角度変位可能に連結されており、両筐体２、３は、ヒンジを軸として折り畳み可能に形成されている。
【００１８】
なお、開閉機構としては、第１筐体２に対して第２筐体３を開閉可能とするものが一般的であるが、第２筐体３に対して第１筐体２を開閉可能とするものであってもよい。すなわち、第１筐体２と第２筐体３とが相対的に開閉可能であればよい。
【００１９】
前記第１筐体２には、入力操作面４が設けられている。この入力操作面４は、両筐体２、３が折り畳まれた閉状態において第１筐体２の内側となる正面に位置するように配置されている。また、入力操作面４には、利用者が通話あるいは通信相手の電話番号の入力、メールアドレスおよび通信内容の入力、機能操作の設定などの各種の入力操作や設定操作に用いるための入力手段となる種々の形状の複数の操作キー（ボタン）５が配列されている。
【００２０】
図１および図２に示すように、第２筐体３には、第１および第２表示面６、７からなる２つの表示面が設けられている。
【００２１】
前記第１表示面６は、主たる情報の表示に用いるためのものであり、この第１表示面６の中央部には、情報の表示の実行部位となる表示手段としての液晶表示パネル（以下、メインパネルと記す。）８のほぼ縦長矩形状に形成された表示画面（以下、メイン画面と記す。）８ａが配置されている。また、第１表示面６は、両筐体２、３の閉状態において第２筐体３の内側となる正面に位置するように配置されており、両筐体２、３の閉状態において、第１筐体２の入力操作面４と、第２筐体３の第１表示面６とが対向するようになっている。
【００２２】
前記第２表示面７は、例えば、時刻、日付、着信表示などの比較的情報量の少ない簡単な情報の表示に用いるためのものであり、この第２表示面７の中央部には、情報の表示の実行部位となる表示手段としての液晶表示パネル（以下、サブパネルと記す。）９のほぼ縦長矩形状に形成された表示画面（以下、サブ画面と記す。）９ａが配置されている。また、第２表示面７は、両筐体２、３の閉状態において外部に露出するように、外側となる第２筐体３の背面に位置するように配置されており、両筐体２、３の閉状態において利用者がサブ画面９ａに表示される情報を視認することができるようになっている。さらに、サブ画面９ａのサイズは、メイン画面８ａのサイズより小さく形成されており、サブパネル９の平面サイズもメインパネル８の平面サイズより小さく形成されている。すなわち、サブパネル９としては、メインパネル８より小型のものが用いられている。
【００２３】
図２に示すように、第２筐体３の第２表示面７が設けられている背面の図２の下部には、カメラユニット１０のカメラ部１１とライト部１２とが図２の左右方向に並んで配置されている。このカメラ部１１は、撮像レンズ１３と、図示しないＣＣＤイメージセンサあるいはＣＭＯＳイメージセンサなどの撮像素子とを有している。また、ライト部１２は、照明レンズ１４を有しており、カメラ部１１で撮像する際の補助光源として使用されるようになっている。
【００２４】
なお、カメラ部１１とライト部１２は、図２の上下方向や斜め方向などに並んで配置されていてもよい。
【００２５】
前記第２筐体３の内部には、図３に詳示するように、ほぼ平板状のバックライト１５が配置されている。このバックライト１５は、導光板１６と、導光板１６の少なくとも図３の下方に示す側面と対向するように配置された白色光を放射可能なＬＥＤなどからなる単数もしくは複数のバックライト用光源１７とを有している。この、バックライト用光源１７としては、導光板１６の少なくとも１つの側面と対向するように配置されていればよい。
【００２６】
前記バックライト１５は、導光板１６の図３の左方に示すメインパネル８の配設側である正面と、図３の右方に示すパネルの配設側とは反対の背面との表裏両面から照明に供する光を出射可能に形成されている。そして、導光板１６の正面側にメインパネル８が配置され、導光板１６の背面側、すなわち、メインパネル８とは反対側の背面に、サブパネル９が配置されている。このため、導光板１６の背面に配置されている反射シート１８には、サブパネル９の表示領域にバックライト１５から出射される光、本実施形態においてはバックライト１５の裏面である背面から出射される光の一部を通過させるためのサブ用開口１８ａがサブ画面９ａと対向するように設けられている。また、導光板１６の背面に配置されている反射シート１８には、バックライト１５からその背面側に出射される光、本実施形態においてはバックライト１５の裏面である背面から出射される光の残りの一部をライト部１２、詳しくは、照明レンズ１４へ通過させるためのライト用開口１８ｂが形成されている。これにより、バックライト１５から出射される光の一部が、撮像の際に補助照明として用いるライト部１２の補助光源となるように形成されている。
【００２７】
なお、ライト用開口１８ｂの形成位置としては、バックライト１５のバックライト用光源１７に近い方が、ライト部１２の光路がバックライト用光源１７に近くなるので、バックライト用光源１７から放射される光を効率よく用いることができるという意味で好ましい。すなわち、ライト部１２が、バックライト１５の背面側においてバックライト１５のバックライト用光源１７に近接配置されていることが好ましい。
【００２８】
また、導光板１６の背面に配置されている反射シート１８に、ライト用開口１８ｂが形成されているので、導光板１６の中の配向パターンの調整や、導光板１６の表面、反射シート１８を含む光学シートの表面などに微細な凹凸を設けることなどにより、メインパネル８のメイン画面８ａの表示ムラの発生を防止するように形成することが好ましい。
【００２９】
また、カメラ付き携帯電話機１としては、サブパネル９を必ずしも必要とするものではない。すなわち、サブパネル９は、機器の仕様などの必要に応じて設ければよい。
【００３０】
前記第１筐体２、第２筐体３、表示手段、入力手段、カメラユニット１０、これらを含む各部の動作を司る制御部などのその他の構成については、従来と同様なので、その詳しい説明については省略する。
【００３１】
つぎに、前述した構成からなる本実施形態の作用について説明する。
【００３２】
本実施形態のカメラ付き携帯電話機１によれば、バックライト１５から出射される光の一部が、ライト部１２の補助光源となるように形成されているから、従来と異なり、ライト部１２のための専用の補助光源を必要としないので、部品点数の削減、組み立てに要する労力および時間の削減を容易かつ確実に図ることができるし、専用の補助光源を取り付けるためのスペースを必要としないので、組み立て品の小型化、薄型化を容易かつ確実に図ることができる。
【００３３】
したがって、本実施形態のカメラ付き携帯電話機１によれば、低コスト化、小型化および薄型化を容易に図ることができる。
【００３４】
また、本実施形態のカメラ付き携帯電話機１によれば、バックライト１５のメインパネル８の配設側とは反対の背面に、反射シート１８が配設されており、この反射シート１８には、バックライト１５から出射される光をライト部１２へ通過させるためのライト用開口１８ｂが形成されているから、バックライト１５から出射される光の一部をライト部１２の補助光源として用いることが容易かつ確実にできる。
【００３５】
さらに、本実施形態のカメラ付き携帯電話機１によれば、反射シート１８には、ライト用開口１８ｂとサブ用開口８ａも設けられているので、１つのバックライト１５から出射される光を、メインパネル８、サブパネル９およびライト部１２の３箇所の照明に用いることが容易かつ確実にできる。
【００３６】
さらにまた、本実施形態のカメラ付き携帯電話機１によれば、ライト部１２が、バックライト１５の背面側においてバックライト用光源１７に近接配置されているから、ライト部１２の光路がバックライト用光源１７に近くなるので、バックライト用光源１７から放射される光を効率よく用いることができる。
【００３７】
またさらに、本実施形態のカメラ付き携帯電話機１によれば、バックライト１５のメインパネル８の配設側とは反対の背面に、メインパネル８より小型のサブパネル９が配設されているから、両筐体２、３を折り畳んだ閉状態においても、日付や時刻などの簡単な表示を行うことができる。
【００３８】
なお、本発明のカメラ付き電子機器は、カメラ付き携帯電話機に限らず、携帯情報端末（ＰＤＡ）などの各種のカメラ付き電子機器に用いることができる。
【００３９】
また、本発明は、前述した実施形態に限定されるものではなく、必要に応じて種々の変更が可能である。
【図面の簡単な説明】
【００４０】
【図１】本発明に係るカメラ付き電子機器の実施形態の筐体の開状態における要部の概略外観正面図
【図２】図１の概略外観背面図
【図３】図１の要部の内部構成を示す概略拡大縦断面図
【符号の説明】
【００４１】
１  カメラ付き携帯電話機
２  第１筐体
８  メインパネル
９  サブパネル
１０  カメラユニット
１１  カメラ部
１２  ライト部
１３  撮像レンズ
１４  照明レンズ
１５  バックライト
１６  導光板
１７  バックライト用光源
１８  反射シート
１８ｂ  ライト用開口
【図１】
2008113153.tif 000003
【図２】
2008113153.tif 000004
【図３】
2008113153.tif 000005